(57)【要約】【課題】  本発明は目地パネルの幅寸法より少し大きな寸法の上部空間があれば設置することができる、構造が簡単で、容易に設置することができる天井用目地装置を得るにある。【解決手段】  一端部が一方の建物の躯体にヒンジ部材を介して回動可能に取付けられ他端部が他方の建物の天井部材近傍に位置する目地パネルと、この目地パネルの上部の一方の建物の躯体に後端部が枢支されへの字状あるいは入字状で先端部がそれぞれ他方の建物の躯体に当接するように位置しそれぞれ水平方向に回動可能な一対の支持アームと、この一対の支持アームの先端部間を常時閉方向に付勢する付勢スプリングと、一対の支持アームの先端部が他方の建物の躯体に当接するように位置した状態の角度以下になるのを阻止するストッパーと、一対の支持アームの先端部寄りの部位に一対の支持アームの先端部が開放方向に回動することによって目地パネルの先端部を上方へ移動させるワイヤーを用いた目地パネル移動機構とで天井用目地装置を構成している。【選択図】  図１
2005105629.tif 000002
【特許請求の範囲】
【請求項１】
目地部を介して設けられた左右の建物の天井目地部を覆う一端部が、一方の建物の躯体にヒンジ部材を介して回動可能に取付けられ、他端部が他方の建物の天井部材近傍に位置する目地パネルと、この目地パネルの上部の前記一方の建物の躯体に後端部が枢支され、ほぼへの字状あるいは入字状で、先端部がそれぞれ前記他方の建物の躯体に当接するように位置し、それぞれ水平方向に回動可能な一対の支持アームと、この一対の支持アームの先端部間を常時閉方向に付勢する付勢スプリングと、前記一対の支持アームの先端部が前記他方の建物の躯体に当接するように位置した状態の角度以下になるのを阻止するストッパーと、前記一対の支持アームの先端部寄りの部位に、該一対の支持アームの先端部が開放方向に回動することによって、前記目地パネルの先端部を上方へ移動させるワイヤーを用いた目地パネル移動機構とからなることを特徴とする天井用目地装置。
【請求項２】
目地部を介して設けられた左右の建物の天井目地部を覆う一端部が、一方の建物の躯体にヒンジ部材を介して回動可能に取付けられ、他端部が他方の建物の天井部材近傍に位置する目地パネルと、この目地パネルの先端部を支持するように前記天井部材に形成あるいは取付けられた目地パネル支持体と、前記目地パネルの上部の前記一方の建物の躯体に回動可能あるいは固定状態に取付けられたアーム支持部材と、このアーム支持部材に後端部が固定あるいは回動可能に取付けられた、ほぼへの字状あるいは入字状で、先端部がそれぞれ前記他方の建物の躯体に当接するように位置し、それぞれ水平方向に回動可能な一対の支持アームと、この一対の支持アームの先端部間を常時閉方向に付勢する付勢スプリングと、前記一対の支持アームの先端部が前記他方の建物の躯体に当接するように位置した状態の角度以下になるのを阻止するストッパーと、前記一対の支持アームの先端部寄りの部位に、該一対の支持アームの先端部が開放方向に回動することによって、前記目地パネルの先端部を上方へ移動させるワイヤーを用いた目地パネル移動機構とからなることを特徴とする天井用目地装置。
【発明の詳細な説明】
【技術分野】
【０００１】
本発明は目地部を介して設けられた左右の建物の天井部分の目地部を覆う天井用目地装置に関する。
【背景技術】
【０００２】
従来の天井用目地装置は目地部を介して設けられた左右の建物の、一方の建物の目地部側の天井部の躯体にヒンジ部材を介して先端部が上方向に回動可能に取付けられた、前記目地部を覆う目地パネルと、前記ヒンジ部材の上部の天井部の躯体に後端部が枢支され、先端部が上方へ傾斜状態で配置される支持アーム、一端部が一方の建物の目地部側の天井部の躯体にスライド移動可能に当接し、他端部が他方の建物の目地部側の天井部の躯体にスライド移動可能に当接する、該他端部側寄りの部位に前記支持アームの先端部が枢支された作動アーム、この作動アームの一方の建物寄りの部位に一端部が取付けられ、他端部が前記目地パネルの遊端部寄りの部位に取付けられた目地パネル支持紐とからなる目地カバー作動機構とで構成されている。
【０００３】
したがって、天井部材の上部に目地パネルの幅寸法の2倍以上の空間のある部位にしか設置することができないという欠点があった。
【特許文献１】特開２００２−３３９４６４
【発明の開示】
【発明が解決しようとする課題】
【０００４】
本発明は以上のような従来の欠点に鑑み、目地パネルの幅寸法より少し大きな寸法の上部空間があれば設置することができる、構造が簡単で、容易に設置することができる天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の天井目地部を覆う一端部が、一方の建物の躯体にヒンジ部材を介して回動可能に取付けられ、他端部が他方の建物の天井部材近傍に位置する目地パネルと、この目地パネルの上部の前記一方の建物の躯体に後端部が枢支され、ほぼへの字状あるいは入字状で、先端部がそれぞれ前記他方の建物の躯体に当接するように位置し、それぞれ水平方向に回動可能な一対の支持アームと、この一対の支持アームの先端部間を常時閉方向に付勢する付勢スプリングと、前記一対の支持アームの先端部が前記他方の建物の躯体に当接するように位置した状態の角度以下になるのを阻止するストッパーと、前記一対の支持アームの先端部寄りの部位に、該一対の支持アームの先端部が開放方向に回動することによって、前記目地パネルの先端部を上方へ移動させるワイヤーを用いた目地パネル移動機構とで天井用目地装置を構成している。
【発明の効果】
【０００７】
以上の説明から明らかなように、本発明にあっては次に列挙する効果が得られる。
【０００８】
（１）目地部を介して設けられた左右の建物の天井目地部を覆う一端部が、一方の建物の躯体にヒンジ部材を介して回動可能に取付けられ、他端部が他方の建物の天井部材近傍に位置する目地パネルと、この目地パネルの上部の前記一方の建物の躯体に後端部が枢支され、ほぼへの字状あるいは入字状で、先端部がそれぞれ前記他方の建物の躯体に当接するように位置し、それぞれ水平方向に回動可能な一対の支持アームと、この一対の支持アームの先端部間を常時閉方向に付勢する付勢スプリングと、前記一対の支持アームの先端部が前記他方の建物の躯体に当接するように位置した状態の角度以下になるのを阻止するストッパーと、前記一対の支持アームの先端部寄りの部位に、該一対の支持アームの先端部が開放方向に回動することによって、前記目地パネルの先端部を上方へ移動させるワイヤーを用いた目地パネル移動機構とで構成されているので、地震等によって目地部が広くなるように左右の建物が揺れ動いた場合には、目地パネルの先端部より他方の建物が離れて、その揺れ動きを吸収し、目地部が狭くなると一対の支持アームの先端部が開放する動きで目地パネル移動機構を作動させて、目地パネルの先端部を上方へ回動させて、その揺れ動きを吸収することができる。
したがって、目地部が広くなったり、狭くなったりする揺れ動きが生じても、目地パネルを損傷させることなく、その揺れ動きを自動的に吸収でき、維持管理が容易にできる。
【０００９】
（２）前記（１）によって、ほぼへの字状あるいは入字状の一対の支持アームの先端部の水平方向の開放によって、目地パネルの先端部を上方へ回動させることができる。
したがって、目地パネルの先端部の回動時に一対の支持アームの設置位置より上方へ突出することなく、上方の空間が小さくても設置することができる。
【００１０】
（３）前記（１）によって、目地部を覆う1枚の目地パネル、一対の支持アーム、付勢スプリング、ストッパー、目地パネル移動機構とで構成されているので、構造が簡単で、容易に設置することができる。
【００１１】
（４）請求項２も前記（１）〜（３）と同様な効果が得られる。
【発明を実施するための最良の形態】
【００１２】
以下、図面に示す本発明を実施するための最良の形態より、本発明を詳細に説明する。
【００１３】
図１ないし図７に示す本発明を実施するための最良の第１の形態において、1は目地部2を介して設けられた左右の建物３、3の天井目地部を覆う本発明の天井用目地装置で、この天井用目地装置1は一端部が一方の建物3の躯体３ａにヒンジ部材4を介して回動可能に取付けられ、他端部が他方の建物3の天井部材5近傍に位置する目地パネル6と、この目地パネル6の先端部を支持するように前記天井部材5に取付けられた目地パネル支持体７と、前記目地パネル6の上部の前記一方の建物3の躯体３ａに軸心が垂直に位置し、支持金具８、９で回動可能に取付けられた軸状のアーム支持部材１０と、このアーム支持部材１０に後端部が固定されたほぼ入字状で、先端部がそれぞれ前記他方の建物３の躯体３ａに当接するように位置し、それぞれ水平方向に回動可能な一対の支持アーム１１、１２と、この一対の支持アーム１１、１２の先端部間を常時閉方向に付勢する付勢スプリング１３と、前記一対の支持アーム１１、１２の先端部が前記他方の建物３の躯体３ａに当接するように位置した状態の角度以下になるのを阻止するワイヤーを用いたストッパー１４、１４と、前記一対の支持アーム１１、１２の先端部寄りの部位に、該一対の支持アーム１１、１２の先端部が開放方向に回動することによって、前記目地パネル６の先端部を上方へ移動させるワイヤー１５、１５を用いた目地パネル移動機構１６とで構成されている。
【００１４】
前記一対の支持アーム１１、１２は図４に示すように、後端部が前記アーム支持部材１０に固定され、先端部にローラ１７が取付けられた一方の支持アーム１１と、この一方の支持アーム１１の後端部寄りの部位に後端部が枢支ピン１８で枢支され、先端部にローラ１７が取付けられた他方の支持アーム１２とで構成されている。
【００１５】
前記目地パネル移動機構１6
は図５に示すように、前記一対の支持アーム１１、１２の一方の支持アーム１１および他方の支持アーム１２の先端部寄りの部位に取付けられたガイド部材１９、１９と、前記一方の支持アーム１１および他方の支持アーム１２の中央部あるいは先端部寄りの部位に取付けられたワイヤー係止具２０、２０と、一端部がこのワイヤー係止具２０、２０に係止され、他端部が他方のガイド部材１９、１９、一方のガイド部材１９、１９を通過して、前記目地パネル６の先端部に取付けられたワイヤー係止具２１、２１に係止される一対のワイヤー１５、１５とで構成されている。
【００１６】
上記構成の天井用目地装置１は、通常状態では天井目地部２を目地パネル６の先端部が目地パネル支持体７によって支持された状態で覆っている。
【００１７】
地震等によって左右の建物３、３が異なる方向に揺れ動き、目地部２が広くなると図６に示すように、目地パネル６の先端部および一対の支持アーム１１、１２の先端部より他方の建物３の躯体３ａが離れるように移動し、その揺れ動きを吸収する。
目地部２が狭くなると図７に示すように、一対の支持アーム１１、１２の先端部が他方の建物３の躯体３ａによって押し圧され、開放する。この一対の支持アーム１１、１２の先端部の開放によって、一対のワイヤー１５、１５が目地パネル６の上方へ引き上げられるため、目地パネル６の先端部が上方へ回動して、その揺れ動きを吸収する。
揺れ動きが停止すると自動的に元の状態である、図１ないし図３に示す状態に戻る。
［発明を実施するための異なる形態]
【００１８】
次に、図８ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１０に示す本発明を実施するための第２の形態において、前記本発明を実施するための最良の第１の形態と主に異なる点は、一方の支持アーム１１と他方の支持アーム１２が所定角度以下になるのを阻止するために、一方の支持アーム１１の他方の支持アーム１２の枢支部寄りの部位に係止片状のストッパー１４Ａを設けるとともに、２対以上の支持アーム１１、１２、１１、１２を用いて目地パネル６を支持、回動できるようにした点で、このように構成した天井用目地装置１Ａにしても、前記本発明を実施するための最良の第１の形態と同様な作用効果が得られるとともに、長い寸法の天井用目地部を覆う場合でも使用することができる。
【００２０】
図１１ないし図１３に示す本発明を実施するための第３の形態において、前記本発明を実施するための第２の形態と主に異なる点は、一対の支持アーム１１、１２より１本のワイヤー１５を用いた目地パネル移動機構１６Ａを用いるとともに、先端部の下面に傾斜面２２が形成された目地パネル６Ａおよび、該目地パネル６Ａの先端部の傾斜面２２と面接触する傾斜面２３を天井部材５の目地部へ突出する突出部位５ａの先端部に形成した点で、このように構成した天井用目地装置１Ｂにしても、前記本発明を実施するための第２の形態と同様な作用効果が得られる。
【００２１】
図１４ないし図１６に示す本発明を実施するための第４の形態において、前記本発明を実施するための最良の第１の形態と主に異なる点は、複数本のビス２４等によって、一方の建物３の躯体３ａに固定されるアングル状のアーム支持部材１０Ａと、このアーム支持部材１０Ａに一方の支持アーム１１の後端部を枢支ピン２５で回動可能に枢支した点で、このように構成した天井用目地装置１Ｃにしても、前記本発明を実施するための最良の第１の形態と同様な作用効果が得られる。
【００２２】
図１７ないし図１９に示す本発明を実施するための第５の形態において、前記本発明を実施するための最良の第１の形態と主に異なる点は、２個のアーム支持部材１０、１０と、この２個のアーム支持部材１０、１０に一対の支持アーム１１、１２Ａの後端部を固定した点で、このように構成した天井用目地装置１Ｄにしても、前記本発明を実施するための最良の第１の形態と同様な作用効果が得られる。
【００２３】
図２０および図２１に示す本発明を実施するための第６の形態において、前記本発明を実施するための最良の第１の形態と主に異なる点は、複数本のビス２４等によって一方の建物３の躯体３ａに固定されるアングル状のアーム支持部材１０Ｂと、このアーム支持部材１０Ｂに一対の支持アーム１１、１２Ａの後端部を枢支ピン２５、２５でそれぞれ枢支した点で、このように構成した天井用目地装置１Ｅにしても、前記本発明を実施するための最良の第１の形態と同様な作用効果が得られる。
【産業上の利用可能性】
【００２４】
本発明は天井用目地装置を製造する産業および、該天井用目地装置を設置する産業で利用される。
【図面の簡単な説明】
【００２５】
【図１】本発明を実施するための最良の第１の形態の平面図。
【図２】本発明を実施するための最良の第１の形態の底面図。
【図３】図１の３−３線に沿う拡大断面図。
【図４】本発明を実施するための最良の第１の形態の一対の支持アームの説明図。
【図５】本発明を実施するための最良の第１の形態の目地パネル移動機構の説明図。
【図６】本発明を実施するための最良の第１の形態の目地部が広くなった動作説明図。
【図７】本発明を実施するための最良の第１の形態の目地部が狭くなった動作説明図。
【図８】本発明を実施するための第２の形態の平面図。
【図９】図８の９−９線に沿う拡大断面図。
【図１０】本発明を実施するための第２の形態のストッパー取付部の説明図。
【図１１】本発明を実施するための第３の形態の平面図。
【図１２】図１０の１１−１１線に沿う拡大断面図。
【図１３】本発明を実施するための第３の形態の目地パネル移動機構の説明図。
【図１４】本発明を実施するための第４の形態の平面図。
【図１５】図１４の１５−１５線に沿う拡大断面図。
【図１６】本発明を実施するための第４の形態の一方の支持アームの取付部の説明図。
【図１７】本発明を実施するための第５の形態の平面図。
【図１８】図１７の１８−１８線に沿う拡大断面図。
【図１９】本発明を実施するための第５の形態の一対の支持アームの取付部の説明図。
【図２０】本発明を実施するための第６の形態の平面図。
【図２１】図２０の２１−２１線に沿う拡大断面。
【符号の説明】
【００２６】
１、１Ａ、１Ｂ、１Ｃ、１Ｄ、１Ｅ：天井用目地装置、
２：目地部、                      ３：建物、
３ａ：躯体、                                                ４：ヒンジ部材、
５：天井部材、                                ６、６Ａ：目地パネル、
７：目地パネル支持体、                ８：支持金具、
９：支持金具、                                
１０、１０Ａ、１０Ｂ：アーム支持部材、
１１：支持アーム、                                    １２、１２Ａ：支持アーム、
１３：付勢スプリング、                １４、１４Ａ：ストッパー、
１５：ワイヤー、
１６、１６Ａ：目地パネル移動機構、
１７：ローラ、                                １８：枢支ピン、
１９：ガイド部材、                              ２０：ワイヤー係止具、
２１：ワイヤー係止具、                ２２：傾斜面、
２３：傾斜面、                                ２４：ビス、
２５：枢支ピン。
【図１】
2005105629.tif 000003
【図２】
2005105629.tif 000004
【図３】
2005105629.tif 000005
【図４】
2005105629.tif 000006
【図５】
2005105629.tif 000007
【図６】
2005105629.tif 000008
【図７】
2005105629.tif 000009
【図８】
2005105629.tif 000010
【図９】
2005105629.tif 000011
【図１０】
2005105629.tif 000012
【図１１】
2005105629.tif 000013
【図１２】
2005105629.tif 000014
【図１３】
2005105629.tif 000015
【図１４】
2005105629.tif 000016
【図１５】
2005105629.tif 000017
【図１６】
2005105629.tif 000018
【図１７】
2005105629.tif 000019
【図１８】
2005105629.tif 000020
【図１９】
2005105629.tif 000021
【図２０】
2005105629.tif 000022
【図２１】
2005105629.tif 000023